【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
物理量により表され、Ｐ個のシンボルを有する第１のアルファベットに属するディジタルデータを送信するための送信装置であって、
前記第１アルファベットの各シンボルを、Ｐよりも多いＱ個のシンボルを有する第２アルファベットに属する２次ディジタルデータに割り当てるラベリング手段と、
前記２次ディジタルデータを処理対象として、所定の符号化ルールを用いて前記第２アルファベットに属する冗長データを決定する符号化手段と、
少なくとも一つの物理量を、所定の送信ルールに従って、Ｐ個の異なる値をとることができる信号で構成され、連続的に送信すべきディジタルデータと前記冗長データを表する信号列に変調する送信手段とを備えることを特徴とする送信装置。
【請求項２】
前記ラベリング手段は、前記第１アルファベットの各シンボルに所定のディジタルデータを付加し、前記第２アルファベットに属するとともに前記第１アルファベットのシンボルに対応する２次ディジタルデータを形成することを特徴とする請求項１に記載の送信装置。
【請求項３】
前記ラベリング手段は、前記第１アルファベットの各シンボルに同一のディジタルデータを付加し、前記第２アルファベットに属するとともに前記第１アルファベットのシンボルに対応する２次ディジタルデータを形成することを特徴とする請求項１に記載の送信装置。
【請求項４】
前記送信手段は、Ｐ個の状態を有する２つの直交位相の搬送波に基づいて振幅変調された信号の送信を実行し、前記所定の送信ルールは、送信すべきディジタルデータ及び前記冗長データを前記信号の成分組に整合させることを特徴とする請求項１乃至３のいずれかに記載の送信装置。
【請求項５】
前記符号化手段より、Ｑ個のシンボルを有するアルファベットに属する冗長シンボルを受信し、前記送信手段にディジタルデータを供給する予備選択手段を備えることを特徴とする請求項１乃至４のいずれかに記載の送信装置。
【請求項６】
前記予備選択手段は、各々がバイナリデータのシーケンスによって表され得る冗長シンボルを受信し、前記シーケンスのセグメントを表すディジタルデータ項を供給することを特徴とする請求項５に記載の送信装置。
【請求項７】
前記予備選択手段から連続的に供給されるデータより所定の選択ルールに従って得られるディジタルデータ組を前記送信手段に供給する選択手段を備えることを特徴とする請求項５または６に記載の送信装置。
【請求項８】
所定の１組のマッピングルールに従って、前記選択手段によって選択されたディジタルデータ組の各々を振幅組に写像する写像手段を備え、
前記送信手段は、前記振幅組の第１及び第２振幅値によってそれぞれ変調された２つの成分を用いて、直交位相方式にて信号の送信を行うことを特徴とする請求項７に記載の送信装置。
【請求項９】
前記所定の１組の写像ルールは少なくとも第１ルールを含み、該第１ルールによれば、送信後に２つの振幅組が混同される推定確率が、第１の所定値よりも大きい場合に、当該２つの振幅組に対応するディジタル・データ組は、同じ値の第１または第２ディジタル・データ項を持つことを特徴とする請求項８に記載の送信装置。
【請求項１０】
前記所定の選択ルールは周期的であり、前記選択ルールは選択周期数を用いて、選択周期の数だけ離れた２つのディジタルデータ項が、前記選択手段によって同一の方法で選択され、
前記所定のマッピングルールは周期的であり、前記マッピングルールはマッピング周期数を用いて、マッピング周期の数だけ離れた２つの等しい組が同じ振幅組にマップされることを特徴とする請求項７乃至９のいずれかに記載の送信装置。
【請求項１１】
前記予備選択手段は各対が偶数のバイナリデータ項のシーケンスで表され得る冗長シンボルを受信し、前記シーケンスのバイナリデータ項の半分を表すディジタルデータ項を供給することを特徴とする請求項５乃至１０のいずれかに記載の送信装置。
【請求項１２】
前記１組の所定のマッピングルールによれば、送信後に２つの振幅組が混同される推定確率が第１の所定値よりも大きい場合に、当該２つの振幅組に対応するディジタル・データ組の一方は前記予備選択手段から供給されたいかなるディジタルデータをも表さないことを特徴とする請求項９に記載の送信装置。
【請求項１３】
Ｐ個のシンボルを有する第１のアルファベットに属する、送信対象データを受信する受信装置であって、
Ｐ個のシンボルを有するアルファベットに属する受信されたディジタルデータを受け取り、受け取ったディジタルデータを、Ｐより大きいＱ個のシンボルを有する第２のアルファベットに属する復号化対象シンボルに割り当てる識別手段と、
所定の復号化ルールを用いて、復号されるべき冗長シンボルを考慮し、復号されるシンボルに影響を及ぼすエラーを訂正して訂正済みシンボルを供給する復号化手段と、
Ｐ個の異なる値を取り得るとともに、所定の翻訳ルールに従って訂正されたシンボルを連続的に表わす送信されたディジタルデータを供給する翻訳手段とを備えることを特徴とする受信装置。
【請求項１４】
前記信号は直交位相における２つの搬送波に従って振幅変調によって変調された信号であることを特徴とする請求項１３に記載の受信装置。
【請求項１５】
前記信号を受信して成分組を供給する受信手段を備え、前記組はＰ個の異なる値を取り得ることを特徴とする請求項１３または１４に記載の受信装置。
【請求項１６】
送信対象のディジタルデータを表わす成分組と、復号されるべき冗長シンボルを表わす成分組とを仕分ける格納手段を備えることを特徴とする請求項１５に記載の受信装置。
【請求項１７】
前記識別手段は、送信されるべきディジタルデータを表わす成分組を、Ｑ個のシンボルを有する前記第２アルファベットに属する、復号されるべきシンボルに割り当てることを特徴とする請求項１６に記載の受信装置。
【請求項１８】
前記識別手段は、冗長シンボルを表わす少なくとも２つの成分組の成分をＱ個のシンボルを有する前記第２のアルファベットに属する復号されるべき冗長シンボルに割り当てることを特徴とする請求項１６または１７に記載の受信装置。
【請求項１９】
前記受信手段は、６４状態を取る直交位相の２つの搬送波に従って振幅変調された信号を受信し、前記信号の成分組を前記仕分手段に供給することを特徴とする請求項１３乃至１８のいずれかに記載の受信装置。
【請求項２０】
前記仕分手段は周期的な所定の仕分けルールを用いて、ここで該仕分ルールは仕分周期数を用い、仕分け周期の数だけ離れた２つのディジタルデータ項は前記仕分手段によって同一の方法で仕分けされ、
前記識別手段は周期的な識別ルールを用いて、該識別ルールは識別周期数を用い、識別周期の数だけ離れた等しい組が復号されるべき同じシンボルに割り当てられることを特徴とする請求項１３乃至１９のいずれかに記載の受信装置。
【請求項２１】
前記翻訳手段は各々の組がバイナリデータのシーケンスで表わされ得る訂正されたシンボルを受信し、各々が前記シーケンスのセグメントを表わす送信されたディジタルデータ項を供給することを特徴とする請求項１３乃至２０のいずれかに記載の受信装置。
【請求項２２】
前記翻訳手段は、各訂正されたシンボルから所定のディジタルデータを取り除き、送信されたディジタルデータ項を形成することを特徴とする請求項２１に記載の受信装置。
【請求項２３】
物理量により表され、Ｐ個のシンボルを有する第１のアルファベットに属するディジタルデータを送信するための送信方法であって、
前記第１アルファベットの各シンボルを、Ｐよりも多いＱ個のシンボルを有する第２アルファベットに属する２次ディジタルデータに割り当てるラベリング工程と、
前記２次ディジタルデータを処理対象とし、所定の符号化ルールを用いて前記第２アルファベットに属する冗長データを決定する符号化工程と、
少なくとも一つの物理量を、Ｐ個の異なる値をとることができる信号で構成され、所定の送信ルールに従って、連続的に送信すべきディジタルデータと前記冗長データを表する信号列に変調する送信工程とを備えることを特徴とする送信方法。
【請求項２４】
Ｐ個のシンボルを有する第１のアルファベットに属する、送信対象データを受信する受信方法であって、
Ｐ個のシンボルを有するアルファベットに属する受信されたディジタルデータを受け取り、受け取ったディジタルデータを、Ｐより大きいＱ個のシンボルを有する第２のアルファベットに属する復号化対象シンボルに割り当てる識別工程と、
所定の復号化ルールを用いて、復号されるべき冗長シンボルを考慮し、復号されるシンボルに影響を及ぼすエラーを訂正して訂正済みシンボルを供給する復号化工程と、
Ｐ個の異なる値を取り得るとともに、所定の翻訳ルールに従って訂正されたシンボルを連続的に表わす送信されたディジタルデータを供給する翻訳工程とを備えることを特徴とする受信方法。
【手続補正２】
【補正対象書類名】明細書
【補正対象項目名】００１１
【補正方法】変更
【補正の内容】
【００１１】
【課題を解決するための手段】
この目的のために、本発明の第1の態様によれば次の構成を備える送信装置が提供され、該送信装置は、
物理量により表され、Ｐ個のシンボルを有する第１のアルファベットに属するディジタルデータを送信するための送信装置であって、
前記第１アルファベットの各シンボルを、Ｐよりも多いＱ個のシンボルを有する第２アルファベットに属する２次ディジタルデータに割り当てるラベリング手段と、
前記２次ディジタルデータを処理対象として、所定の符号化ルールを用いて前記第２アルファベットに属する冗長データを決定する符号化手段と、
少なくとも一つの物理量を、所定の送信ルールに従って、Ｐ個の異なる値をとることができる信号で構成され、連続的に送信すべきディジタルデータと前記冗長データを表する信号列に変調する送信手段とを備える。
【手続補正３】
【補正対象書類名】明細書
【補正対象項目名】００１２
【補正方法】変更
【補正の内容】
【００１２】
また、本発明の第２の態様によれば、以下の構成を備える受信装置が提供される。すなわち、該受信装置は、
Ｐ個のシンボルを有する第１のアルファベットに属する、送信対象データを受信する受信装置であって、
Ｐ個のシンボルを有するアルファベットに属する受信されたディジタルデータを受け取り、受け取ったディジタルデータを、Ｐより大きいＱ個のシンボルを有する第２のアルファベットに属する復号化対象シンボルに割り当てる識別手段と、
所定の復号化ルールを用いて、復号されるべき冗長シンボルを考慮し、復号されるシンボルに影響を及ぼすエラーを訂正して訂正済みシンボルを供給する復号化手段と、
Ｐ個の異なる値を取り得るとともに、所定の翻訳ルールに従って訂正されたシンボルを連続的に表わす送信されたディジタルデータを供給する翻訳手段とを備える。
【手続補正４】
【補正対象書類名】明細書
【補正対象項目名】００１３
【補正方法】変更
【補正の内容】
【００１３】
また、本発明の第３の態様によれば、以下の構成を備える送信方法が提供される。すなわち、該送信方法は、
物理量により表され、Ｐ個のシンボルを有する第１のアルファベットに属するディジタルデータを送信するための送信方法であって、
前記第１アルファベットの各シンボルを、Ｐよりも多いＱ個のシンボルを有する第２アルファベットに属する２次ディジタルデータに割り当てるラベリング工程と、
前記２次ディジタルデータを処理対象とし、所定の符号化ルールを用いて前記第２アルファベットに属する冗長データを決定する符号化工程と、
少なくとも一つの物理量を、Ｐ個の異なる値をとることができる信号で構成され、所定の送信ルールに従って、連続的に送信すべきディジタルデータと前記冗長データを表する信号列に変調する送信工程とを備える。
【手続補正５】
【補正対象書類名】明細書
【補正対象項目名】００１４
【補正方法】変更
【補正の内容】
【００１４】
また、本発明の第４の態様によれば、以下の構成を備える受信方法が提供される。すなわち、該受信方法は、
Ｐ個のシンボルを有する第１のアルファベットに属する、送信対象データを受信する受信方法であって、
Ｐ個のシンボルを有するアルファベットに属する受信されたディジタルデータを受け取り、受け取ったディジタルデータを、Ｐより大きいＱ個のシンボルを有する第２のアルファベットに属する復号化対象シンボルに割り当てる識別工程と、
所定の復号化ルールを用いて、復号されるべき冗長シンボルを考慮し、復号されるシンボルに影響を及ぼすエラーを訂正して訂正済みシンボルを供給する復号化工程と、
Ｐ個の異なる値を取り得るとともに、所定の翻訳ルールに従って訂正されたシンボルを連続的に表わす送信されたディジタルデータを供給する翻訳工程とを備える。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４４
【補正方法】削除
【補正の内容】
【手続補正１６】
【補正対象書類名】明細書
【補正対象項目名】００４５
【補正方法】削除
【補正の内容】